(57)【特許請求の範囲】
【請求項１】
入力信号（Ｓm1）を受信し、かつ対応の増幅出力信号（Ｓout）を生ずる増幅回路（６００）あって、
（ａ）信号パスに沿って連続してカスケード接続され、かつ順方向に伝播する前記入力信号（Ｓm1）を増幅して出力信号（Ｓout）を生ずる複数の反射増幅器（７１０，７１０）と、
（ｂ）前記信号パスを形成し、かつ逆方向に沿った信号伝播を妨げるために前記反射増幅器（７００，７１０）を接続し、それによって前記回路（６００）内で自然発生的な発振が生ずるのを妨げる接続手段（６１０，６２０，６３０，６５０，６６０）とを備え、
前記接続手段は前記信号パスに沿って隣接する反射増幅器（７００，７１０）の間に挿入されたフィルタ（６１０，６２０，６３０）と、入力信号のピーク周波数から周波数シフトされたピーク周波数を有する関連した側波帯信号コンポーネント（８６０，８７０）へ前記入力信号を変調するか、または前記側波帯信号コンポーネントのピーク周波数からピーク周波数をシフトするための変調手段（６５０，６６０）を有し、前記フィルタ（６１０，６２０，６３０）及び前記変調手段（６５０，６６０）は、前記変調手段（６５０、６６０）によってシフトされた変調入力信号のピーク周波数は、或る帯域伝送特性を有するフィルタによって、一方の隣接する反射増幅器に向けて順方向で、通過されるが、前記信号パスの逆方向では異なるバンドパス特性を有する他のフィルタによって通過されない様に構成されており、前記パスに沿った順方向への信号伝播の促進及び逆方向に沿った信号伝播の防止することを特徴とする増幅回路。
【請求項２】
前記フィルタ（６１０，６２０，６３０）は前記信号パスに沿って連続して配置されており、前記フィルタは前記パスに沿って側波帯伝送フィルタ（６２０）と側波帯拒絶可能フィルタ（６１０，６３０）との間を交番し、また変調手段（６５０，６６０）は、入力信号（Ｓin）が側波帯拒絶可能フィルタ（６１０，６３０）のみを実質的に介して伝送可能な対応の搬送信号と側波帯伝送可能フィルタ（６２０）のみを実質的に介して伝送可能な対応の側波帯信号との間を交互に前記信号パスに沿って伝搬するように、入力信号を変換するために配置されており、それによって経路に沿った順方向への入力信号伝播を促進し、また経路に沿った逆方向への信号伝播を防止することを特徴とする請求項１に記載の回路。
【請求項３】
前記変調手段は、複数の相スイッチ（６５０，６６０）を有し、各相スイッチは関連した各々の反射増幅器（７００，７１０）を有することを特徴とする請求項１又は請求項２に記載の回路。
【請求項４】
前記相スイッチ（６５０，６６０）はフィルタと該フィルタに関連した増幅器（７００，７１０）との間に介在することを特徴とする請求項３に記載の回路。
【請求項５】
前記変調手段（６５０，６６０）は、前記側波帯伝送フィルタの側波帯伝送特性の伝送ピーク間の周波数差の半分だけ、関連した周波数をシフトすることができることを特徴とする請求項１、２，３、又は４に記載の回路。
【請求項６】
前記相スイッチ（６５０，６６０）は各々がインダクタ及び変調バラクタから構成される同調回路を組み込むことを特徴とする請求項４又は請求項５に記載の回路。
【請求項７】
請求項１乃至６のいずれかにもとづく増幅回路及びそれに関連したフィルタを組み込んだことを特徴とする中間周波数ストライプ。
【請求項８】
請求項１乃至６のいずれかにもとづく増幅回路を組み込んだことを特徴とする中間周波数受信器。
【請求項９】
請求項１乃至６のいずれかにもとづく増幅回路を組み込んだことを特徴とする移動電話。
【請求項１０】
入力信号を受信し、かつ対応の増幅出力信号を生ずる増幅方法であって、
（ａ）信号パスに沿って連続してカスケード接続された複数の反射増幅器（７００，７１０）、該反射増幅器（７００，７１０）を前記信号パスに接続し、前記パスに沿った順方向への信号伝播を促進するとともに前記パスに沿った逆方向の信号電波を防ぐためのもので、かつ前記信号パスに沿って隣接反射増幅器間に挿入されるフィルタ（６１０，６２０，６３０）を取り込む接続手段（６１０，６２０，６３０，６５０，６６０）、及び入力信号のピーク周波数から周波数シフトされたピーク周波数を有する関連した側波帯信号コンポーネントに前記入力信号（Ｓin）を変調するか、または前記側波帯信号コンポーネントのピーク周波数からピーク周波数をシフトする変調手段（６５０，６６０）を提供し、前記フィルタ（６１０，６２０，６３０）及び前記変調手段（６５０，６６０）が、前記変調手段（６５０、６６０）によってシフトされた変調入力信号のピーク周波数は、或る帯域伝送特性を有するフィルタによって、一方の隣接する反射増幅器に向けて順方向で、通過されるが、前記信号パスの逆方向では異なるバンドパス特性を有する他のフィルタによって通過されない様に構成されており、前記パスに沿った前記順方向への信号伝播を促進し、前記パスに沿った前記逆方向への信号伝播を防ぐステップと、
（ｂ）前記信号パスで前記入力信号（Ｓin）を受信するステップと、
（ｃ）前記接続手段（６１０）を介して前記入力信号を前記反射増幅器の一つ（７００）に向け、該反射増幅での増幅によって増幅信号を提供するステップと、
（ｄ）前記増幅信号を前記反射増幅器の別のもの（７１０）へ向け、該反射増幅器でさらに増幅を行うステップと、
（ｅ）前記増幅信号が前記信号パスの出力に達するまでステップ（ｆ）を繰り返すステップと、
（ｆ）前記増幅信号を前記信号パスからの前記出力信号（Ｓout）として出力するステップと、
を有することを特徴とする方法。
【発明の詳細な説明】
【０００１】
【発明の属する技術分野】
本発明は増幅回路、特に、限定されるものではないが、無線受信機における中間周波数での帯域増幅を行うための増幅回路に関する。
【０００２】
【従来の技術】
従来技術において、増幅器は入力された入力信号を増幅して増幅出力信号を出力するために幅広く使用されている。このことは、特に無線受信機において重要であり、該無線受信機において受信電波が対応の、数マイクロボルトの振幅を一般に有するアンテナ受信信号を生じる。無線受信機は、例えば拡声器を駆動するために、そのような受信信号を増幅して数ミリボルト程度の振幅にする。無線周波数で増幅するように設計された増幅器の自然発生的な振動を防ぐことが困難であることから、特に増幅器がカスケード式利得供給ステージを含むものであるならば、よりいっそう大きな増幅を与え、かつよりいっそう選択的な帯域幅信号濾過を与えることがいっそう容易になるように、受信信号をよりいっそう低い中間周波数にヘテロダインすることが一般的に行われる。
【０００３】
従来の無線受信機では、中間周波数、すなわち受信電波の周波数と音声又はビデオ周波数との中間に横たわる周波数で必要とされる信号増幅の大部分を与えることが一般的である。例えば、無線受信機は周波数５００ＭＨｚの電波を受信し、同じく５００ＭＨｚの対応アンテナ受信信号を出力する。受信機は受信信号をヘテロダインして周波数範囲が１０．７ＭＨｚ付近である中間周波数信号を発生する。続いて、その信号が増幅及び濾過され、最終的に単純な中間周波数信号に復調され、周波数範囲が１００Ｈｚから５ｋＨｚである信号コンポーネントを有する対応の音声出力信号を生成する。
【０００４】
最近、無線周波数スペクトルが益々密集し始めており、現代の通信システムでは超音波周波数（ＵＨＦ）が使用される傾向にある。すなわち、５００ＭＨｚ付近、マイクロ波周波数での送電では１ＧＨｚ乃至３０ＧＨｚもまた現在用いられている。このことに関連したことが数十Ｍｚ以上で中間周波数を用いる現代の無線受信機設計における傾向であり、このことはヘテロダイン・プロセスを用いることに関連した適切なゴースト画像除去を得るために行われる。
【０００５】
現代の移動電話では、ほとんどの信号増幅がそこに取り込まれた中間周波数増幅回路で行われる。そのような回路は、伝送増幅器及び関連表面音波（ＳＡＷ）又はセラミック・フィルタを有し、狭帯域信号増幅特性を与えるもので、回路及びそれに関連したフィルタは従来から「中間周波数ストリップ」と総称されている。そのような伝送増幅器は動作中に電力を著しく消費するもので、例えば移動電話で使用される中間周波数増幅回路は動作中に電流が一般に数百マイクロアンペア乃至数ミリアンペア消費する。
【０００６】
付属の電池で動作時間が延びた近代的な移動電話を提供するために、重量に対する電荷蓄積性能を高めることができる新しいタイプの電池、例えば再充電可能な金属水素化物及びリチウム電池が研究及び開発されてきた。
【０００７】
本発明者は、電池技術を改善することに集中するよりはむしろ無線受信機の中間周波数増幅回路の電流消費の減少が電池の動作時間を延ばすために必要であると考えた。したがって、取って代わるべき新たなタイプの増幅回路、例えば動作に必要とする電力がよりいっそう少ない無線受信機における中間周波数での使用に特に適した回路の提供に努めるなかで本発明がなされた。
【０００８】
日本の特許出願第５５−１３７７０７号に記載されているように、従来技術において反射増幅器及び該増幅器間に挿入されたフィルタを連続してカスケード接続して、前段階で生じたよりいっそう高い高調波コンポーネントの連続したステージへの伝播を防ぐことが知られている。フィルタは、自然発生的な発振が生じるのを防ぐために、カスケード接続された一連の増幅器に沿った逆方向への信号伝播を抑制することができない。
【０００９】
【発明が解決しようとする課題及び課題を解決するための手段】
本発明によれば、入力信号を受信し、かつ対応の増幅出力信号を生ずる増幅回路であって、
（ａ）信号パスに沿って連続してカスケード接続され、かつ出力信号を順方向に沿って生ずるために該順方向に伝播する前記入力信号を増幅する複数の反射増幅器と、
（ｂ）前記信号パスを形成し、かつ逆方向に沿った信号伝播を妨げるために前記反射増幅器を接続し、それによって前記回路内で自然発生的な発振が生ずるのを妨げる接続手段とを備え、
前記接続手段は前記信号パスに沿って隣接する反射増幅器の間に挿入されたフィルタと、関連した側波帯信号コンポーネントに前記入力信号を変調するとともに前記パスに沿って側波帯へ、及び該側波帯から変換するための変調手段を有し、前記フィルタ及び前記変調手段は前記パスに沿った順方向への信号伝播の促進及び逆方向に沿った信号伝播の防止することを特徴とする増幅回路が提供される。
【００１０】
これによって、増幅器間にフィルタが挿入されていることで、各増幅はそれに隣接する増幅器から切り離され、それによってパスに沿った信号の逆方向への伝播が防止され、変調手段の組み込みによって搬送信号と側波帯信号との間で変換される各増幅器を伝搬する入力信号を可能とし、それによってパスに沿って順方向にフィルタを入力信号が伝搬するのを可能とする利点が得られる。
【００１１】
上記回路によって、従来技術の増幅回路と比較して、信号を増幅し、かつ動作中の電力消費を少なくすることが可能であるという利点が得られる。
【００１２】
当業者は、動作中に自然発生的な干渉発振が生ずることから、複数の反射増幅器を一緒に接続してそこから安定な増幅を得ることが実行可能であるとは思わないであろう。上記回路は、該回路での意図的な信号増幅を促進するとともに自然発生的な発振を増大させる信号増幅を防止する接続手段を取り込むことによって、そのような問題に取り組むものである。
【００１３】
自然発生的は発振は、信号パスに沿って生ずる自己誘導発振として定義され、信号パスの周囲又は中に生ずるフィードバックの結果として増幅が起こる。
【００１４】
好都合なことには、フィルタは信号パスに沿って連続して配置されており、該フィルタはパスに沿って側波帯伝送可能フィルタと側波帯拒絶可能フィルタとの間を交番する。また、変調手段は、入力信号が側波帯拒絶可能フィルタのみを実質的に介して伝送可能な対応の搬送信号と側波帯伝送可能フィルタのみを実質的に介して伝送可能な対応の側波帯信号との間を交互に信号パスに沿って伝搬するように、入力信号を変換するために配置されており、それによって経路に沿った順方向への入力信号伝播を促進し、また経路に沿った逆方向への信号伝播を防止する。
【００１５】
別の態様によれば、本発明は、入力信号を受信し、かつ対応の増幅出力信号を生ずる増幅方法であって、
（ａ）信号パスに沿って連続してカスケード接続された複数の反射増幅器、該反射増幅器を前記信号パスに接続し、前記パスに沿った順方向への信号伝播を促進するとともに前記パスに沿った逆方向の信号伝播を防ぐためのもので、かつ前記信号パスに沿って隣接反射増幅器間に挿入されるフィルタを取り込む接続手段、及び関連した側波帯信号コンポーネントに前記入力信号を変調し、前記パスに沿って前記側波帯コンポーネントへの、及び前記側波帯コンポーネントからの変換を行う変調手段を提供し、前記フィルタ及び前記変調手段が前記パスに沿った前記順方向への信号伝播を促進し、前記パスに沿った前記逆方向への信号伝播を防ぐステップと、
（ｂ）前記信号パスで前記入力信号を受信するステップと、
（ｃ）前記接続手段を介して前記入力信号を前記反射増幅器の一つに向け、該反射増幅での増幅によって増幅信号を提供するステップと、
（ｄ）前記増幅信号を前記反射増幅器の別のものへ向け、該反射増幅器でさらに増幅を行うステップと、
（ｅ）前記増幅信号が前記信号パスの出力に達するまでステップ（ｆ）を繰り返すステップと、
（ｆ）前記増幅信号を前記信号パスからの前記出力信号として出力するステップと、
を有することを特徴とする方法を提供する。
【００１６】
上記方法によって、増幅のあいだ、信号パスに沿った順方向に信号が選択的に増幅器から増幅器へ向けられ、それによっていっさいの増幅器が信号を再び増幅することを防ぎ、よって自然発生的な発振が生ずる任意のフィードバック・ループの確立を防ぐという利点が得られる。
【００１７】
以下、本発明の一実施形態例をあくまでも例として図面を参照しながら説明する。
【００１８】
【発明の実施の形態】
図１では、本発明の一実施形態例にもとづく増幅回路が示されており、該増幅回路は６００によって示される。それは、３つの帯域フィルタ６１０，６２０．６３０、２つの二相スイッチ６５０，６６０、切換発振器６７０、及び２つの反射増幅器７００，７１０を有する。
【００１９】
フィルタ６１０，６３０は等しく、かつ表面音波（ＳＡＷ）、バルク音波（ＢＡＷ）、又はセラミック・フィルタ・コンポーネントを用いる。各々のフィルタ６１０，６３０はその端末Ｈ１，Ｈ２間を伝送する信号の帯域伝送特性を提供する。この特性は、それぞれがｆ0＋ｆ1及びｆ0−ｆ1の上下−３ｄＢカット・オフ周波数を有する周波数ｆ0が中心となる単一伝送ピークを有する。回路６００では、ｆ0は１００ＭＨｚ、ｆ1は５０ｋＨｚである。
【００２０】
フィルタ６２０もまた、ＳＡＷ、ＢＡＷ、又はセラミック・フィルタ・コンポーネントを用いる。それによって、その端末Ｈ３，Ｈ４間を伝播する信号の二重ピーク伝送特性が与えられる。二重ピーク特性は、２つの伝送ピークを有するもので、第１のピークは周波数ｆ0＋ｆ2に中心が置かれ、第２のピークは周波数ｆ0−ｆ2に中心が置かれる。第１のピークはそれぞれがｆ0＋ｆ2＋ｆ1及びｆ0＋ｆ2−ｆ1の上下−３ｄＢカット・オフ周波数を有する。同様に、第２のピークはそれぞれがｆ0−ｆ2＋ｆ1及びｆ0−ｆ2−ｆ1の上下−３ｄＢカット・オフ周波数を有する。図２は、フィルタ６１０，６２０，６３０の信号伝送特性を例証する８００によって示されたグラフを提供する。グラフ８００は、周波数を表す第１の軸８１０とフィルタ６１０，６２０，６３０を介した相対信号伝送を示す第２の軸８２０を有する。
【００２１】
図２では、フィルタ６１０，６３０の信号伝送ピークが８５０によって示されている。同様に、フィルタ６２０の第１及び第２の伝送ピークはそれぞれ８６０，８７０によって示されている。さらに、フィルタ６１０，６３０もまた周波数ｆ0−ｆ2及びｆ0＋ｆ2、すなわちピーク８６０，８７０の周波数範囲付近の周波数の電波を、特に端末Ｈ２に印加された信号に対して、強く吸収する。さらに、フィルタ６２０も、ピーク８５０の周波数範囲付近の電波、特にその端末Ｈ４に印加された信号に対して、強く吸収される。
【００２２】
図１をここで参照すると、切換発振器６７０は二相論理制御信号を、周波数ｆ２で論理ステート０と論理ステート１との間を周期的に切り換えるその出力で生成することが可能である。発振器６７０からの出力は二相スイッチ６５０，６６０の入力制御端末Ｋに接続される。
【００２３】
二相スイッチ６５０，６６０は等しく、かつ各々が３つの端末、すなわち上記したように信号端末Ｊ１，Ｊ２、及び入力端末Ｋを取り込む。スイッチ６５０は、バリキャップ・ダイオードとしても知られているバラクタ及びインダクタを組み込むもので、スイッチ６５０の端末Ｋに印加される制御信号は、バラクタに印加された電圧を制御することができ、それによって、同調を変え、端末Ｊ１，Ｊ２間でスイッチ６５０を通過して伝播する信号に対してフェーズ・シフトを与える。切換発振器６７０からの制御信号が論理ステート０にある時は、スイッチ６５０，６６０は０°フェーズ・シフトを与える動作を行う。逆に、制御信号が論理ステート１にある時は、スイッチ６５０，６６０は９０°フェーズ・シフトを与える動作を行う。したがって、動作中では、端末Ｊ１，Ｊ２を介してスイッチ６５０，６６０を伝播し、かつ実質的に該スイッチ６５０，６６０から戻り、関連の反射増幅器７００，７１０によって増幅した信号は、周期的に０°と１８０°との間でフェーズが切り換わる。
【００２４】
以下、回路６００の動作を図１及び図２を参照しながら説明する。切換発振器６７０は周波数ｆ2で発振し、この周波数でその出力から制御信号を生成する。周波数ｆ2はｆ1を２倍にしたものと等しいか、もしくはそれを上回る。制御信号は二相スイッチ６５０，６６０を切り換えて周波数ｆ2で通過する変調信号をフェーズする。
【００２５】
フィルタ６１０は、その端末Ｈ１入力で入力信号Ｓinを受信する。入力信号Ｓinは、例えば、周波数範囲がｆ0−ｆ1からｆ0＋ｆ1である信号コンポーネントを含む中間周波数信号として信号Ｓinを生成するために受信信号をヘテロダインする先行段階（不図示）で生ずる。信号Ｓinは、その信号コンポーネントがフィルタ６１０のピーク８５０の周波数範囲にあることから、端末Ｈ１から端末Ｈ２にフィルタ６１０を介して伝送される。信号Ｓinが端末Ｈ２から伝搬する時、信号コンポーネントの周波数では伝送されないことから、フィルタ６２０を通過することは不可能である。したがって、信号Ｓinは端末Ｈ２からスイッチ６５０の端末Ｊ１に伝播し、第１の変調信号Ｓm1として端末Ｊ２で生ずるためにフェーズ変調される。変調信号Ｓm1は、第２の増幅変調信号Ｓm2を与えるために信号Ｓm1を反射的に増幅する増幅器７００のポートＴ３に伝播する。信号Ｓm2は、端末Ｊ１での出力である第３の変調信号Ｓm3を与えるためにさらにフェーズ変調されたスイッチ６５０を介して戻る増幅器７００のポートＴ３から伝播する。
【００２６】
信号Ｓm3は、フェーズ変調され、かつピーク８６０，８７０の周波数範囲で信号コンポーネントを含む２つの側波帯を有する。信号Ｓm3における側波帯がフィルタ６１０を介して戻ることを防ぐもので、なぜならそれらの側波帯の周波数で伝送不可能であるためである。したがって、信号Ｓm3は、側波帯がフィルタ６２０のピーク８６０，８７０の周波数範囲にあることから、フィルタ６２０の端末Ｈ３から端末Ｈ４に伝播する。
【００２７】
信号Ｓｍ３は、フィルタ６２０の端末Ｈ４からスイッチ６６０の端末Ｊ１へ伝播する。フィルタ６３０は信号Ｓm3を送信することができない。なぜなら、信号の側波帯の周波数範囲では送信可能ではないためである。したがって、信号Ｓm3はその端末Ｊ１から端末Ｊ２へスイッチ６６０を介して伝播し、そこから第４の信号Ｓm4として出現する。スイッチ６６０は周波数ｆ2でフェーズ変調を与えることから、ピーク８５０の周波数範囲で信号Ｓm4の信号コンポーネントを生成するために、信号Ｓm3の側波帯がヘテロダインされる。信号Ｓm4は、スイッチ６６０の端末Ｊ２から増幅器７１０のポートＴ３に伝播し、そこで反射的に増幅されて増幅信号Ｓm5を与える。信号Ｓm5は、増幅器７１０のポートＴ３から伝播してスイッチ６６０を介して戻り、そこでさらにフェーズ変調されてスイッチ６６０の端末Ｊ１で第６の信号Ｓm6として出現する。信号Ｓm6は、信号Ｓm5から、増幅後のピーク８５０の周波数範囲で信号コンポーネントを含む。
【００２８】
フィルタ６２０は、ピーク８５０の周波数範囲にある信号コンポーネントを含む信号を、特にＨ４端末で、伝送することができないことから、信号Ｓm6は、フィルタ６２０から戻ることが妨げられている。したがって、信号Ｓm6は端末Ｈ１から端末Ｈ２にフィルタ６３０を介して伝播する。信号Ｓoutは、回路６００によって増幅された信号Ｓinに存在する信号コンポーネントを取り込む。
【００２９】
大まかに言えば、回路６００は搬送周波数、すなわちピーク８５０の周波数範囲から側波帯、すなわちピーク８６０，８７０の周波数範囲で増幅される信号Ｓinをステージからステージで交互に変換する。したがって、フィルタ６１０，６２０，６３０と組合わさったスイッチ６５０，６６０は出力Ｓoutから入力Ｓｉｎのパスに沿った逆方向に戻る信号伝播の防止に効果を示す。これは増幅器７００，７１０を分離するもので、それによって自然発生的な発振を生ずることなく回路６００で達成されるよりいっそう大きな信号増幅が可能となる。したがって、回路６００は反射増幅器を用いることで数十マイクロアンペア程度の低電流消費に対して５０ｄＢに達する高い信号増幅を提供することが可能である。
【００３０】
もし、反射増幅器７００，７１０がスイッチ６５０，６６０及びフィルタ６１０，６２０，６３０無しでただカスケード接続されているだけならば、意図的な入力信号増幅を妨げる重大な自然発生的発振の問題に遭遇するであろう。
【００３１】
回路６００を改変して増幅ステージの数を増やすことができる。各ステージは反射増幅器を取り込み、信号パスに沿った第１の方向にフィルタ６１０のようなフィルタによって、また信号パスに沿った第２の方向にフィルタ６２０のようなフィルタによって、隣接ステージと離間されている。これらの方向は互いに反対向きとなっている。このことによって、図１に示したものよりも多くの増幅器ステージが取り入れられていることからよりいっそう高い利得が達成可能となる。
【００３２】
フィルタ６１０，６２０，６３０は、１つ以上のＳＡＷフィルタ、セラミック・フィルタ、又は同調インダクタンス／キャパシタンス・フィルタとすることができる。高周波数動作のためには、バルク音波フィルタも用いることができる。
【００３３】
増幅器７００，７１０をバイアス制御器に接続することができる。バイアス制御器は、増幅器７００，７１０内でトランジスタ電流を制御するために配置されており、それによってそれらの利得のダイナミック制御を可能とするもので、例えば自動利得制御（ＡＧＣ）がＳinに印加された信号の比較的大きなダイナミック・レンジに対して適切に対処するように要求される。
【００３４】
増幅回路６００は、信号増幅が起こる信号パスを形成するために結合された複数の反射増幅器からなる一連のカスケード接続を組み込んでいる。反射増幅器は、切り換えデバイス、例えばスイッチ６５０，６６０、及びフィルタ６１０，６２０，６３０によって接続され、増幅のためにパスに沿った順方向への信号伝播を促進し、一方で自然発生的発振を生ずるパスに沿った逆方向への信号伝播を防ぐ。このことによって、よりいっそう低い電流消費でよりいっそう高い利得が達成可能となり、該電流消費は同等の利得を得る従来技術の伝送増幅器で要求されるものよりも低い。
【００３５】
以下、図３を参照しながら反射増幅器４００をさらに説明する。回路１４００は破線１４１０内に含まれており、１４２０で示されるシリコン又はガリウム砒素（ＧａＡｓ）トランジスタ、該トランジスタ１４２０の端末ネットワークを形成するコンデンサ１４３０、及びレジスタ１４４０、バイアス・ネットワークを形成するフィードバック・コンデンサ１４５０、インダクタ１４６０、及びレジスタ１４７０、さらに電流源１４８０から構成される。回路１４００は、トランジスタのゲート電極１４２０ｇ及びコンデンサ１４５０の第１の端末に接続した入力／出力ポートＴ３を有する。
【００３６】
回路１４００は、該回路１４００に電力を供給する電源１５００に接続している。電源１５００は、トランジスタ１４２０のドレイン電極１４２０ｄに接続し、またコンデンサ１４３０の第１の端末にも接続している。コンデンサ１４３０の第２の端末は信号アース端子に接続し、さらに連続したインダクタ１４６０及び抵抗１４７０を介して信号アース端子に接続された電流源１４８０に接続している。コンデンサ１４５０は、トランジスタ１４２０のソース電極１４２０ｓ、アースされた抵抗１４４０、連続したインダクタ１４６０及び抵抗１４７０を介して、信号アース端子に接続した電流源１４８０に接続している。
【００３７】
回路１４００の動作において、ゲート電極１４２０ｇはポートＴ３を介して印加される入力信号を受信する。入力信号は、ソース電極１４２０ｇとドレイン電極１４２０ｄとの間を流れる該入力信号に対応した信号電流を生じさせる。信号電流は、トランジスタ１４２０のゲート−ドレイン及びゲート−ソース・キャパシタンスを介して、またコンデンサ１４５０を介して、結合されており、それによって入力信号の増幅バージョンである出力信号をゲート電極１４２０ｇで生成する。入力信号は、ポートＴ３を通過して伝搬する出力信号と相まってゲート電極１４２０ｇで反射される。
【００３８】
１つの端末、すなわちポートＴ３を介して入力信号を受信し、かつ結合信号を返送する回路１４００であることから、それは反射負抵抗として作用する。
【００３９】
回路１４００及び破線１４１０内に示すそれに関連したコンポーネントは、数十マイクロアンペア程度のトランジスタ１４２０を介したドレイン／ソース電流に対して＋３０ｄＢに他する高電力利得を与えることができる。そのような高電力利得は、そのような低い供給電力で動作する伝送増幅器では達成不可能である。
【００４０】
中間周波数ストリップの一部として移動電話に組み込む場合、複数の回路１４００を組み込んだ増幅回路６００は、従来技術と比較して中間周波数での増幅信号に関連した電話電流消費を大幅に減少させることが可能である。このことから、例えは再充電可能な電池から供給される電力でよりいっそう長く電話を動作させることができるという顕著な利益が得られる。
【００４１】
当業者は、本発明の範囲から逸脱することなく回路６００に対して変更を加えることが可能であることを容易に理解することができるだろう。したがって、提供された反射増幅器とともに別の切り換えデバイス、又は等価なデバイスを用い、それらが回路６００のスイッチ及びフィルタと同様の特性、すなわち偽りの自然発生的な発振の防止を示すことが可能である。
【００４２】
回路６００は、移動電話等の無線受信機に組み込むことが可能であり、その中で中間周波数ストリップとして機能する。さらに、回路６００からの信号出力を変換するために復調器を設けた場合、回路はＩＦ受信器として作動可能である。
【図面の簡単な説明】
【図１】  本発明の一実施形態例にもとづく増幅回路の模式図である。
【図２】  図１の回路に組み込むためのフィルタの信号伝送特性の説明図である。
【図３】  図１の回路に組み込むための反射増幅器の回路の模式図である。
【符号の説明】
６００      増幅回路
６１０，６２０．６３０      帯域フィルタ
６５０，６６０      二相スイッチ
６７０      切換発振器
７００，７１０      反射増幅器
８００      グラフ
８５０      信号伝送ピーク
８６０      第１の伝送ピーク
８７０      第２の伝送ピーク
１４００    回路
１４１０    破線
１４２０    シリコン又はガリウム砒素（ＧａＡｓ）トランジスタ
１４３０    コンデンサ
１４４０    レジスタ
１４５０    フィードバック・コンデンサ
１４６０    インダクタ
１４７０    レジスタ
１４８０    電流源
１５００    電源
【図１】
0004498620.tif 000002
【図２】
0004498620.tif 000003
【図３】
0004498620.tif 000004